(57)【要約】【課題】  マナーモード中であっても特定の相手先からの着信は許可する電話装置を提供する。【解決手段】  電話装置がマナーモード中において、Ｓ０１ステップにおいて着信があると発呼側の電話番号を検出し、検出した電話番号が予めメモリに記憶されている電話番号（許可相手先 ）であると判定すると、着信音を鳴動することにより着信報知を行い（Ｓ０３ステップ）、一方、予めメモリに記憶されている電話番号でないと判定すると、バイブレータを振動することにより着信報知を行う（Ｓ０４ステップ）。【選択図】  図３
2010183415.tif 000002
【特許請求の範囲】
【請求項１】
着信があると着信音を鳴動せずに筐体の振動により着信を報知するマナーモードを搭載した電話装置であり、
装置がマナーモード中に予め設定した相手先から着信があるときには、着信音の鳴動を許可することを特徴とする電話装置。
【請求項２】
着信があると着信音を鳴動せずに筐体の振動により着信を報知するマナーモードを搭載した電話装置であり、
装置がマナーモード中に予め設定した相手先から着信があるときには、マナーモードを解除することを特徴とする電話装置。
【請求項３】
着信があると着信音を鳴動せずに筐体の振動により着信を報知するマナーモードを搭載した電話装置であり、
着信を検出する着信検出手段と、着信時に発呼側情報を検出する発呼側情報検出手段と、着信音を鳴動する鳴動手段と、筐体を振動させる振動手段と、発呼側情報を記憶する発呼側情報記憶手段と、
装置がマナーモード中に、前記着信検出手段が着信を検出すると共に前記発呼側情報検出手段が発呼側情報を検出すると、前記振動手段による筐体の振動で着信を報知し、その着信に応答しなければ、前記発呼側情報記憶手段が前記発呼側情報を記憶し、再度前記記憶手段に記憶されている発呼側からの着信があると、前記鳴動手段が着信音を鳴動することにより着信を報知することを特徴とする電話装置。
【請求項４】
着信があると着信音を鳴動せずに筐体の振動により着信を報知するマナーモードを搭載した電話装置であり、
着信を検出する着信検出手段と、着信時に発呼側の電話番号を検出する電話番号検出手段と、着信音を鳴動する鳴動手段と、筐体を振動させる振動手段と、電話番号を記憶する電話番号記憶手段と、
装置がマナーモード中に、前記着信検出手段が着信を検出すると共に前記電話番号検出手段が電話番号を検出すると、前記振動手段による筐体の振動で着信を報知し、その着信に応答しなければ、前記電話番号記憶手段が前記電話番号を記憶し、再度前記電話番号記憶手段に記憶されている電話番号からの着信があると、前記鳴動手段が着信音を鳴動することにより着信を報知することを特徴とする電話装置。
【発明の詳細な説明】
【技術分野】
【０００１】
本発明は、携帯電話装置等の電話装置に関する。
【背景技術】
【０００２】
近年の電話装置（例えば携帯電話装置）には、マナーモードが搭載されている。このマナーモードがオンの状態では、着信があった場合に着信音が鳴動せずに、バイブレータの振動によりユーザに着信を報知する。ユーザはこのマナーモードをオンさせることにより、会議中や授業中等に着信音が鳴動し周囲に迷惑をかけるといった事態を回避することが可能である。
【０００３】
又、このマナーモードに関する技術が特許文献においても数多く公開されている。例えば、特許文献１には、所定の時刻になると自動的にマナーモードオン又はオフとなる携帯通信装置が開示されている。
【先行技術文献】
【特許文献】
【０００４】
【特許文献１】特開２００７−１１６５２３号公報
【発明の概要】
【発明が解決しようとする課題】
【０００５】
しかしながら、マナーモードをオンとした状態で電話装置を使用すると次のような問題
が生じる。例えば、マナーモードをオンとした状態で友達から着信があり、ユーザがその着信に気付かないとする（着信音が鳴動しない等の理由により）。続いてユーザがその着信があってから時間が経過した後に着信に気付き、発呼してきた友達に電話をかけたが、友達が電話に出られないとする。この時、ユーザはマナーモードを解除（オフ）すればよいが、マナーモードの解除操作を忘れた場合に、後ほど友達から着信があってもその着信に気付かない場合がある。
【０００６】
本発明はこのような事態を回避するためのものであり、マナーモードがオンされている状態で着信があれば、マナーモードを解除する、或いは、着信があった相手先からの着信を受け付ける状態にするものである。
【０００７】
尚、引用文献１には、所定の時刻になると自動的にマナーモードがオンオフする技術が記載されているが、着信に応じてマナーモードを解除する、或いは、着信があった相手先からの着信を受け付けるといったことに関しては全く考慮されていない。この為、引用文献１に記載の技術についても又、先ほど述べたように、マナーモード中に再度友達から着信があってもその着信に気付かないといった事態が発生する。
【課題を解決するための手段】
【０００８】
請求項１記載の発明は、着信があると着信音を鳴動せずに筐体の振動により着信を報知するマナーモードを搭載した電話装置であり、装置がマナーモード中に予め設定した相手先から着信があるときには、着信音の鳴動を許可することを特徴とする。
請求項２記載の発明は、着信があると着信音を鳴動せずに筐体の振動により着信を報知するマナーモードを搭載した電話装置であり、装置がマナーモード中に予め設定した相手先から着信があるときには、マナーモードを解除することを特徴とする。
請求項３記載の発明は、着信があると着信音を鳴動せずに筐体の振動により着信を報知するマナーモードを搭載した電話装置であり、着信を検出する着信検出手段と、着信時に発呼側情報を検出する発呼側情報検出手段と、着信音を鳴動する鳴動手段と、筐体を振動させる振動手段と、発呼側情報を記憶する発呼側情報記憶手段と、装置がマナーモード中に、前記着信検出手段が着信を検出すると共に前記発呼側情報検出手段が発呼側情報を検出すると、前記振動手段による筐体の振動で着信を報知し、その着信に応答しなければ、前記発呼側情報記憶手段が前記発呼側情報を記憶し、再度前記記憶手段に記憶されている発呼側からの着信があると、前記鳴動手段が着信音を鳴動することにより着信を報知することを特徴とする。
請求項４記載の発明は、着信があると着信音を鳴動せずに筐体の振動により着信を報知するマナーモードを搭載した電話装置であり、着信を検出する着信検出手段と、着信時に発呼側の電話番号を検出する電話番号検出手段と、着信音を鳴動する鳴動手段と、筐体を振動させる振動手段と、電話番号を記憶する電話番号記憶手段と、装置がマナーモード中に、前記着信検出手段が着信を検出すると共に前記電話番号検出手段が電話番号を検出すると、前記振動手段による筐体の振動で着信を報知し、その着信に応答しなければ、前記電話番号記憶手段が前記電話番号を記憶し、再度前記電話番号記憶手段に記憶されている電話番号からの着信があると、前記鳴動手段が着信音を鳴動することにより着信を報知することを特徴とする。
【発明の効果】
【０００９】
本発明によれば、マナーモード中に予め登録した相手先からの着信があると、マナーモードを解除するか或いは以降の予め登録した相手先からの着信に対しては着信音を鳴動させて着信報知するため、ユーザが一々マナーモードを解除しなくとも、特定の相手先からの着信についてのみ着信があることを知ることが可能である。
請求項１に記載の発明によれば、発明によれば、ユーザが一々マナーモードを解除しなくとも、特定の相手先からの着信についてのみ着信があることを知ることが可能である。
請求項２に記載の発明によれば、ユーザが一々マナーモードを解除しなくとも、特定の相手先からの着信があれば自動的にマナーモードを解除することができる。
請求項３に記載の発明によれば、ユーザが一々マナーモードを解除しなくとも、特定の相手先からの着信があれば次回からの特定の相手先からの着信に対しては着信音を鳴動することにより着信報知を行うことができる。
請求項４に記載の発明によれば、ユーザが一々マナーモードを解除しなくとも、特定の電話番号からの着信があれば次回からの特定の電話番号からの着信に対しては着信音を鳴動することにより着信報知を行うことができる。
【図面の簡単な説明】
【００１０】
【図１】本発明を適用してなる実施例装置の正面図である。
【図２】本実施例装置のブロック図である。
【図３】本実施例装置の動作を示すフロー図である。
【発明を実施するための形態】
【００１１】
次に本実施例装置について説明する。本実施例装置として携帯電話装置を一例に実施しているが、本発明は、携帯電話装置だけでなく携帯可能な電話装置であれば同様に適用可能である。
【実施例】
【００１２】
図１は本発明を適用してなる実施例装置である電話装置（例えば携帯電話装置）の正面
図である。図１において、本実施例装置は折畳式の携帯電話装置であり、表示部２６、メールキー５６、マナーキー５７、通話キー５１、切キー５２、テンキー５８、等を有している。
図２は本実施例装置の機能ブロック図である。図２に示すように、携帯電話装置１０は、アンテナ１１と接続された通信部１２を備えている。この通信部１２は、後述のベースバンド部１３からの信号をアンテナ１１を介して基地局へ発信し、あるいはアンテナ１１を介して基地局からの電波を受信する。
【００１３】
また、通信部１２は、ベースバンド部１３と接続されている。ベースバンド部１３は、ＣＤＭＡ処理回路１４と、音声コーデック１５と、を有している。ここで、ＣＤＭＡ処理回路１４は、符号分割多元接続、スクランブル、誤り制御、タイミング検出を行う。また、音声コーデック１５は、音声を圧縮（符号化）、伸張（復号化）したり、アナログとデジタルの変換を行ったり、内部の増幅回路（図示省略）により受話音量やマイクロホンの感度を変更する。
【００１４】
また、ベースバンド部１３には、切替回路１６が接続されている。この切替回路１６には、増幅回路１７を介して第１スピーカ１８が接続されている。この第１スピーカ１８は、増幅回路１７で増幅されたベースバンド部１３の電気信号を音声に変換する。この第１スピーカ１８は、ユーザの耳にあてて通話に使用される。
【００１５】
また、切替回路１６には、増幅回路１９を介してマイクロホン２０が接続されている。このマイクロホン２０は、通話に使用され、音声を電気信号に変換する。マイクロホン２０により出力された電気信号は、増幅回路１９で増幅されてベースバンド部１３に出力される。
【００１６】
また、切替回路１６には、増幅回路２１を介して第２スピーカ２２が接続されている。この第２スピーカ２２は、増幅回路２１で増幅されたベースバンド部１３の電気信号を音声に変換する。この第２スピーカ２２は、受話音を周囲の人にも聞かせるための拡声用のスピーカである。また、第２スピーカ２２は、着信報知の鳴動も行う。
【００１７】
この切替回路１６は、ベースバンド部１３との接続を、第１スピーカ１８用の増幅回路１７とマイクロホン２０用の増幅回路１９側にするか、あるいは拡声用の第２スピーカ２２用の増幅回路２１とマイクロホン２０用の増幅回路１９側にするかを切り替える。
【００１８】
また、通信部１２、ベースバンド部１３、切替回路１６には、制御回路（制御部）２３がそれぞれ接続されている。この制御回路２３の制御により上述した切替回路１６による切り替えが行われる。また、制御回路２３によりベースバンド部１３の音声コーデック１５が制御され、音声コーデック１５により第１スピーカ１８及び第２スピーカ２２の音量やマイクロホン２０の感度が変更される。制御回路２３には、ＲＯＭ２４が接続されており、ＲＯＭ２４に格納されているシステムプログラムに基づき各部を制御する。又、制御回路２３は、図示せぬバッファメモリを搭載している。
フラッシュメモリ２５には、相手先の電話番号、氏名、Ｅメールアドレス等の相手先情報を対で複数件格納可能な電話帳メモリとしての機能、着信日時と発呼側の電話番号を対で複数記憶可能な着信メモリとしての機能、マナーモード中でも着信音を鳴動する相手先（許可相手先）の電話番号を記憶する機能を有している。
表示部２６は例えばＬＣＤ（Liquid Crystal Display）等からなり、フラッシュメモリ２５に格納されている各種データや、後述する入力部５０から入力された電話番号や氏名等の各種入力データ等が表示される。
この入力部５０は、通話を開始指示する為の通話キー５１、通話の終了を指示する為の切キー５２、項目を選択する為のカーソル移動等に用いられる十字キー５３、選択されている項目を決定する為の決定キー５４、前の項目に戻る為のクリアキー５５、メール作成画面を表示する為のメールキー５６、装置をマナーモードにするためのマナーキー５７、電話番号等を入力するためのテンキー５８を有している。
ＧＰＳ処理部６１はアンテナ６０と接続されており、衛星から経度緯度等の位置情報を受信し復調する。
【００１９】
次に本実施例装置の動作について、図３のフロー図に基づき以下に説明する。尚、図３のフロー図の動作に入る前に装置はマナーモードに設定されているとする。
図３のＳ０１ステップにおいて、制御回路２３は、ベースバンド部１３から着信があることを示す信号を検出するとＳ０２ステップへ処理を進める。尚、このとき発呼側の電話番号がベースバンド部１３で復調され、復調された電話番号は制御回路２３の図示せぬバッファメモリに一時的に記憶される。
【００２０】
Ｓ０２ステップでは、制御回路２３は、Ｓ０１ステップで記憶した電話番号がフラッシュメモリ２５に記憶されている許可相手先の電話番号であると判定すると、Ｓ０３ステップへ処理を進め、そうでなければＳ０４ステップで処理を進める。尚、この許可相手先の電話番号は後述するＳ０９ステップにおいてフラッシュメモリ２５に記憶される。
【００２１】
Ｓ０３ステップでは、制御回路２３は、第２スピーカ２２から着信音を鳴動させ、Ｓ０５ステップへ処理を進める。一方、Ｓ０４ステップでは、制御回路２３は、バイブレータ７０を振動させ、Ｓ０５ステップへ処理を進める。
【００２２】
Ｓ０５ステップでは、制御回路２３は、通話キーが押下されたと判定するとＳ０６ステップへ処理を進め、そうでなければＳ０７ステップへ処理を進める。
【００２３】
Ｓ０６ステップでは、制御回路２３は、通信部１２とベースバンド部１３、切替回路１６を制御することにより発呼側との通話を開始すると共に、Ｓ０１ステップでバッファメモリ（図示せず）に記憶した電話番号を削除し、通話終了後にはＳ０１ステップへ処理を戻す。
【００２４】
Ｓ０７ステップでは、制御回路２３は、Ｓ０１ステップで図示せぬバッファメモリに格納された電話番号の記憶を維持すると共に、フラッシュメモリ２５の着信履歴にバッファメモリに格納されている電話番号と着信日時の情報を対で記憶する。
【００２５】
続くＳ０８ステップでは、制御回路２３は、バッファメモリに記憶されている電話番号がフラッシュメモリ２５の電話帳に存在すると判定するとＳ０９ステップへ処理を進め、そうでなければＳ１０ステップへ処理を進める。
【００２６】
Ｓ０９ステップでは、制御回路２３は、バッファメモリに記憶されている電話番号を許可相手先としてフラッシュメモリ２５に記憶し、バッファメモリに記憶されている電話番号を削除する。その後、許可相手先として記憶された電話番号からの着信があれば、マナーモードであっても着信音を鳴動して着信報知する。
【００２７】
Ｓ１０ステップでは、制御回路２３は、バッファメモリに記憶している電話番号を削除し、Ｓ０１ステップへ処理を進める。
【００２８】
以上説明したように、本実施例装置では、マナーモード中に着信があると発呼してきた相手先が電話帳に記憶されているか否かを判定し、電話帳に記憶されている相手先である場合には、その後その相手先から着信があった場合には、たとえマナーモード中であっても着信音を鳴動して着信報知を行う。この為、マナーモード中に再度友達から着信があってもその着信に気付かないといった事態を回避することが可能である。
【００２９】
尚、先ほど説明した実施形態の他に以下のように実施しても良い。
（１）本実施例では、Ｓ０９ステップで許可相手先として登録してから、Ｓ０２、０３ステップにおいて、許可相手先からの着信があると着信音を鳴動する構成としたが、２度目の着信でなくとも、許可相手先からの着信がある時だけマナーモード中でも着信音を鳴動する構成としても良い。
（２）本実施例では、Ｓ０９ステップで許可相手先として登録してから、Ｓ０２、０３ステップにおいて、許可相手先からの着信があると着信音を鳴動する構成としたが、マナーモードであっても許可相手先として登録後に、許可相手先からの着信がある時だけ着信音を鳴動する構成としても良い。
（３）本実施例では、許可相手先として電話番号を登録したが、相手側の氏名情報でも良い。
（４）本実施例では、着信した電話番号が電話帳に記憶されている電話番号であるか否かを判定したが、特に電話帳に限定するものではなく、予め装置に記憶されている電話番号であれば良い。
（５）本実施例では、電話帳に記憶されている相手先からの着信があると次の着信から着信を許可する構成としたが、着信後、電話をかけてきた相手先に折り返し電話をかけた際に、以降のその相手先からの着信については着信音を鳴動する或いは、折り返し電話をかけた際にマナーモードを解除する構成としても良い。
（６）本実施例では、電話帳に登録された相手先からの２度目以降の着信については、着信音を鳴動する或いはマナーモードを解除する構成としたが、その相手先からの所定回数の着信までは着信音を鳴動する或いはマナーモードを解除する構成としたり、その相手先からの着信があってから所定時間は着信音を鳴動する或いはマナーモードを解除する構成としても良い。
【符号の説明】
【００３０】
１０      電話装置
２３      制御回路
２４      ＲＯＭ
２５      フラッシュメモリ
５１      通話キー
５２      切キー
５６      メールキー
５７      マナーキー
６１      ＧＰＳ処理部
７０      バイブレータ
【図１】
2010183415.tif 000003
【図２】
2010183415.tif 000004
【図３】
2010183415.tif 000005